(57)【要約】【課題】周波数分割複信方式（ＦＤＤ）においても、電界ボックスを用意することなく、簡単な構成でアンテナの故障を検出可能な無線通信装置およびアンテナ故障検出方法を提供すること。【解決手段】第１のアンテナ１０１から送信された高周波信号を、第１のアンテナ１０１と空間結合された結合素子１１０によって受信し、受信信号を外部コネクタ１０５に出力する。外部コネクタ１０５に接続された高周波測定器によって、外部コネクタ１０５から出力される受信信号の信号レベルを評価することで、第１のアンテナ１０１の故障検出を行う。【選択図】　　図１
2004146865.tif 000002
【特許請求の範囲】
【請求項１】
周波数分割複信方式で無線通信を行う無線通信装置であって、
送信信号を出力する送信部と、
前記送信部から出力された送信信号を送信する第１のアンテナと、
前記第１のアンテナで受信した信号を入力する受信部と、
前記第１のアンテナを前記送信部および前記受信部で共用する共用器と、
前記第１のアンテナと空間結合し、前記第１のアンテナから送信された送信信号を受信する空間結合手段と、
前記空間結合手段が受信した信号を外部に出力する出力部と、を備えたことを特徴とする無線通信装置。
【請求項２】
前記共用器、前記第１のアンテナ、前記出力部および前記空間結合手段の接続を切り替える切替手段を備え、
前記第１のアンテナの故障を検出する際、前記切替手段は、前記共用器と前記第１のアンテナとを接続すると共に、前記空間結合手段と前記出力部とを接続し、
前記送信部の故障を検出する際、前記切替手段は、前記共用器と前記出力部とを接続し、前記出力部は前記送信部からの送信信号を外部に出力することを特徴とする請求項１記載の無線通信装置。
【請求項３】
前記出力部は、当該無線通信装置の筐体に設けられた外部コネクタであり、当該外部コネクタにはケーブルを介して高周波測定器が接続されることを特徴とする請求項２記載の無線通信装置。
【請求項４】
周波数分割複信方式で無線通信を行う無線通信装置であって、
送信周波数帯域の送信信号を出力する送信部と、
前記送信部から出力された送信信号を送信する第１のアンテナと、
前記第１のアンテナで受信した受信周波数帯域の信号を入力する受信部と、
前記第１のアンテナを前記送信部および前記受信部で共用する共用器と、
前記送信周波数帯域および前記受信周波数帯域に整合して前記第１のアンテナと空間結合し、前記第１のアンテナから送信された送信信号を受信する空間結合手段と、
前記第１のアンテナの故障を検出する際、前記送信部から出力された送信信号を前記受信周波数帯域に制御する信号制御手段と、
前記受信部に設けられ、前記空間結合手段が受信した信号のレベルを検出するレベル検出手段と、
前記レベル検出手段によって検出された信号のレベルに基づいて、前記第１のアンテナの故障を検出する故障検出手段と、
を備えたことを特徴とする無線通信装置。
【請求項５】
前記送信部の故障を検出する際、
前記信号制御手段は、前記送信部から出力された送信信号を前記受信周波数帯域に制御し、
前記故障検出手段は、前記レベル検出手段によって検出された信号のレベルに基づいて、前記送信部の故障を検出することを特徴とする請求項４記載の無線通信装置。
【請求項６】
前記送信部、前記第１のアンテナ、前記空間結合手段および前記受信部の接続を切り替える切替手段を備え、
前記第１のアンテナの故障を検出する際、前記切替手段は、前記送信部と前記第１のアンテナとを接続すると共に、前記空間結合手段と前記受信部とを接続し、
前記送信部の故障を検出する際、前記切替手段は、前記送信部と前記受信部とを接続し、前記故障検出手段は、前記受信部に入力された前記送信部からの送信信号に基づいて、前記送信部の故障を検出することを特徴とする請求項４記載の無線通信装置。
【請求項７】
前記送信部と前記受信部との間に、前記送信部からの送信信号を減衰させる減衰手段を備え、
前記送信部の故障を検出する際、前記レベル検出手段は、前記減衰手段によって減衰された送信信号のレベルを検出することを特徴とする請求項４記載の無線通信装置。
【請求項８】
前記故障検出手段による検出結果として、前記第１のアンテナの状態を報知する報知手段を備えたことを特徴とする請求項１、２、３、４、５、６または７記載の無線通信装置。
【請求項９】
前記空間結合手段は、結合素子であることを特徴とする請求項１、２、３、４、５、６、７または８記載の無線通信装置。
【請求項１０】
前記空間結合手段は、第２のアンテナであることを特徴とする請求項１、２、３、４、５、６、７または８記載の無線通信装置。
【請求項１１】
第１の筐体および第２の筐体を有する折り畳み自在な無線通信装置であって、
前記第１の筐体に設けられた受話部付近に前記第１のアンテナが配置され、前記第２の筐体に設けられた送話部付近に前記空間結合手段が配置されたことを特徴とする請求項１、２、３、４、５、６、７、８、９または１０記載の無線通信装置。
【請求項１２】
送信信号を出力する送信部と、前記送信部から出力された送信信号を送信する第１のアンテナと、前記第１のアンテナで受信した信号を入力する受信部と、前記第１のアンテナを前記送信部および前記受信部で共用する共用器と、を備えた、周波数分割複信方式で無線通信を行う無線通信装置のアンテナ故障検出方法であって、
前記第１のアンテナと空間結合する空間結合手段が前記第１のアンテナから送信された送信信号を受信するステップと、
前記空間結合手段が受信した信号を出力部から外部に出力するステップと、
前記外部に出力された信号に基づいて、前記第１のアンテナの故障検出を行うステップと、
を有することを特徴とするアンテナ故障検出方法。
【請求項１３】
送信周波数帯域の送信信号を出力する送信部と、前記送信部から出力された送信信号を送信する第１のアンテナと、前記第１のアンテナで受信した受信周波数帯域の信号を入力する受信部と、前記第１のアンテナを前記送信部および前記受信部で共用する共用器と、を備えた、周波数分割複信方式で無線通信を行う無線通信装置のアンテナ故障検出方法であって、
前記送信部から出力された送信信号を前記受信周波数帯域に制御するステップと、
前記受信周波数帯域に整合する空間結合手段が、前記第１のアンテナと空間結合して前記第１のアンテナから送信された送信信号を受信するステップと、
前記受信部に設けられたレベル検出手段が、前記空間結合手段が受信した信号のレベルを検出するステップと、
前記レベル検出手段によって検出された信号のレベルに基づいて、前記第１のアンテナの故障を検出するステップと、
を有することを特徴とするアンテナ故障検出方法。
【発明の詳細な説明】
【０００１】
【発明の属する技術分野】
本発明は、周波数分割複信方式（ＦＤＤ）においても、電界ボックスを用意することなく、簡単な構成でアンテナの故障を検出する無線通信装置およびアンテナ故障検出方法に関する。
【０００２】
【従来の技術】
近年、携帯電話やＰＨＳ等の無線通信装置の普及が目覚ましく、生産工程や出荷後のメンテナンスにおいて、無線通信装置のアンテナの故障を検出する機会が増えている。図１３は従来の無線通信装置の構成を示すブロック図である。図１４は図１３の無線通信装置の筐体およびその主要な電子部品の配置を示す説明図である。
【０００３】
この無線通信装置１１０９は、主にアンテナ１１０１、高周波信号切替部１１０２、共用器１１０３、外部コネクタ１１０４、送信部１１０５、受信部１１０６、シンセサイザ部１１０７および制御部１１０８から構成される。アンテナ１１０１は、送信部１１０５から出力される高周波信号を基地局に伝送し、また基地局から到来する受信信号を受信部１１０６に伝送するためのものである。高周波信号切替部１１０２は、第１のアンテナで送受信を行う際、制御部１１０８からの制御信号に従ってアンテナ１１０１と共用器１１０３との間を接続する一方、送信部１１０５の故障を検出する際、制御部１１０８からの制御信号に従って共用器１１０３と外部コネクタ１１０４との間を接続する。
【０００４】
共用器１１０３は、送信部１１０５および受信部１１０６の２つの周波数帯域でアンテナ１１０１を共用するものであり、送信部１１０５から出力される送信周波数帯域（例えば、１９２０ＭＨｚ〜１９８０ＭＨｚ）の高周波信号をほとんど損失なくアンテナ１１０１に伝送し、アンテナ１１０１からの受信周波数帯域（例えば２１１０ＭＨｚ〜２１７０ＭＨｚ）の高周波信号をほとんど損失なく受信部１１０６に伝送すると共に、送信部１１０５および受信部１１０６のアイソレーションを確保する。
【０００５】
外部コネクタ１１０４は、送信部１１０５の故障を検出する場合、高周波信号切替部１１０２によって共用器１１０３と接続されることで、送信部１１０５から出力される高周波信号を高周波測定器に伝達するものである。一般的に、送信部１１０５の故障を検出する場合、高周波測定器を用いることが多く、高周波測定器と外部コネクタ１１０４との接続には外部コネクタケーブル１１１０が用いられる（図１４参照）。送信部１１０５は、前述したように、制御部１１０８からの制御信号に従って送信周波数帯域（例えば、１９２０ＭＨｚ〜１９８０ＭＨｚ）の高周波信号を送信する。受信部１１０６は、前述したように、制御部１１０８からの制御信号に従って受信周波数帯域（例えば、２１１０ＭＨｚ〜２１７０ＭＨｚ）の高周波信号を受信する。
【０００６】
シンセサイザ部１１０７は、送信部１１０５が送信周波数帯域（例えば、１９２０ＭＨｚ〜１９８０ＭＨｚ）の高周波信号を送信できるように、基準となる高周波信号を送信部１１０５に出力すると共に、受信部１１０６が受信周波数帯域の高周波信号（例えば２１１０ＭＨｚ〜２１７０ＭＨｚ）を受信できるように、基準となる高周波信号を受信部１１０６に出力する。制御部１１０８は、高周波信号切替部１１０２、送信部１１０５、受信部１１０６およびシンセサイザ部１１０７を制御し、無線通信装置１１０９が無線通信を行えるようにする。また、制御部１１０８は、アンテナ１１０１または送信部１１０５の故障を検出する際、高周波信号切替部１１０２を制御し、送信部１１０５からの高周波信号を外部コネクタ１１０４を介して外部に出力させる。
【０００７】
次に、上記構成の無線通信装置１１０９におけるアンテナ１１０１の故障検出動作を示す。アンテナ１１０１の故障検出を行う手順として、まず送信部１１０５の故障検出を行い、送信部１１０５が正常に動作していることを確認した後、アンテナ１１０１の故障検出を行う。送信部１１０５の故障検出を行うために、制御部１１０８は、共用器１１０３と外部コネクタ１１０４との間を接続するために、高周波信号切替部１１０２を制御する。
【０００８】
送信部１１０５は、送信信号として送信周波数帯域（例えば、１９５０ＭＨｚ）の高周波信号を出力する。送信部１１０５から出力された高周波信号は、共用器１１０３および高周波信号切替部１１０２を介して外部コネクタ１１０４に出力される。外部コネクタ１１０４から出力される高周波信号は、外部コネクタケーブル１１１０を介して、例えばスペクトラムアナライザ等の高周波測定器に入力される。そして、その信号レベル（測定値レベルＺ）が評価される。
【０００９】
ここで、送信周波数帯域（１９２０ＭＨｚ〜１９８０ＭＨｚ）における共用器１１０３の通過損失（Ｌ１１０３）を１ｄＢ、高周波信号切替部１１０２の通過損失（Ｌ１１０２）を１ｄＢとすると、送信部１１０５からＸ＝０ｄＢｍの高周波信号を出力した場合、外部コネクタ１１０４から出力される信号レベルの理論値Ｙは、数式（１）に示すように、Ｙ＝−２ｄＢｍとなる。
【００１０】
Ｙ［ｄＢｍ］＝Ｘ−Ｌ１１０３−Ｌ１１０２　…（１）
【００１１】
より具体的には、送信部１１０５の故障検出処理（図３参照）では、送信部１１０５の故障検出時、送信部１１０５からＸ＝０ｄＢｍの高周波信号を出力する（ステップＳ１）。このとき、スペクトラムアナライザによって測定される測定値レベルＺが理論値Ｙと一致しているか否かを判別し（ステップＳ２）、一致した場合、送信部１１０５は正常に動作していると判断する（ステップＳ３）。一方、測定値レベルＺが理論値Ｙに一致しない場合、送信部１１０５が故障していると判断する（ステップＳ４）。そして、送信部１１０５が正常に動作していることが確認された場合だけ、次のアンテナ１１０１の故障検出動作が行われる。
【００１２】
アンテナ１１０１の故障を検出するために、制御部１１０８は、共用器１１０３とアンテナ１１０１との間を接続するように、高周波信号切替部１１０２を制御する。送信部１１０５は、送信信号として送信周波数帯域（１９５０ＭＨｚ）の高周波信号を出力する。送信部１１０５から出力された高周波信号は、共用器１１０３および高周波信号切替部１１０２を介して、アンテナ１１０１に導かれ、アンテナ１１０１から送信される。
【００１３】
そして、アンテナ１１０１から送信された信号レベル（送信レベルＺ”）を測定する。送信レベルＺ”を測定する方法としては、例えば電界ボックス内に無線通信装置１１０９を入れ、スペクトラムアナライザ等の測定器によりアンテナから送信された信号レベルを測定する方法が知られている。
【００１４】
アンテナ１１０１のアンテナ利得（Ｇ１１０１）を−３ｄＢ、送信周波数帯域（１９２０ＭＨｚ〜１９８０ＭＨｚ）における共用器１１０３の通過損失（Ｌ１１０３）を１ｄＢ、高周波信号切替部１１０２の通過損失（Ｌ１１０２）を１ｄＢとすると、送信部１１０５からＸ＝０ｄＢｍの信号を出力した場合、アンテナ１１０１から送信される信号レベルの理論値Ｙは、数式（２）に示すようにＹ＝−５ｄＢｍとなる。
【００１５】
Ｙ［ｄＢｍ］＝Ｘ−Ｌ１１０３−Ｌ１１０２＋Ｇ１１０１　…（２）
【００１６】
より具体的には、アンテナ１１０１の故障検出処理（図４参照）では、アンテナ１１０１の故障検出時、送信部１１０５からＸ＝０ｄＢｍの信号を出力する（ステップＳ１１）。このとき、電界ボックスおよびスペクトラムアナライザを用いて測定される送信レベルＺ”が理論値Ｙと一致するか否かを判別し（ステップＳ１２）、一致した場合、アンテナ１１０１は正常に動作していると判断する（ステップＳ１３）。一方、送信レベルＺ”が理論値Ｙと一致しない場合、アンテナ１１０５が故障していると判断する（ステップＳ１４）。
【００１７】
このように、従来の無線通信装置におけるアンテナの故障検出では、一旦、高周波信号切替部１１０２によってアンテナ１１０１を切り離した状態とし、外部コネクタ１１０４から出力された高周波信号を高周波測定器で評価することで、送信部１１０５の故障検出を行う。その後、高周波信号切替部１１０２によって送信状態とし、電界ボックスおよび高周波測定器を用いて、アンテナ１１０１から送信された送信信号の送信レベルを評価することで、アンテナの故障検出を行う。
【００１８】
以上説明した方法の他に、時間分割複信方式（ＴＤＤ）の無線通信装置におけるアンテナまたは送受信機の故障を検出する方法として、例えば特開平８−２７４７２７号公報に示されるように、試験信号をループバックさせ、ビットエラーレート（ＢＥＲ）を測定することにより、検出する方法も知られている。さらに、周波数分割複信方式（ＦＤＤ）の無線通信装置におけるアンテナまたは送信機の故障検出を行う方法として、例えば特開平１１−１９６０３６号公報に示されるように、無線装置内に受信機を１系統追加し、その受信機を用いて送信機から出力された送信信号のレベル、アンテナから送信された送信信号のレベルおよびその信号品質を評価することにより、検出する方法も知られている。
【００１９】
【特許文献１】
特開平８−２７４７２７号公報
【特許文献２】
特開平１１−１９６０３６号公報
【００２０】
【発明が解決しようとする課題】
しかしながら、上記説明した図１３および図１４に示す従来の無線通信装置では、アンテナの故障検出を行うために、別途、電界ボックスを用意する必要があった。また、電界ボックス内でアンテナによる送信レベルを評価する工程が加わるため、生産工程や出荷後のメンテナンスでの故障検出には不向きであった。
【００２１】
また、従来の特開平８−２７４７２７号公報に記載の時間分割複信方式（ＴＤＤ）の無線通信装置では、周波数分割複信方式（ＦＤＤ）のように無線通信装置の送信周波数帯域と受信周波数帯域とが異なる無線通信システムの場合、アンテナの故障検出を行うことができなかった。さらに、従来の特開平１１−１９６０３６号公報に記載の周波数分割複信方式（ＦＤＤ）の無線通信装置では、無線通信装置内に受信機を１系統追加する必要があり回路規模が大きくなるため、無線通信装置には不向きであった。
【００２２】
本発明は、上記従来の事情に鑑みてなされたものであって、周波数分割複信方式（ＦＤＤ）においても、電界ボックスを用意することなく、簡単な構成でアンテナの故障を検出可能な無線通信装置およびアンテナ故障検出方法を提供することを目的としている。
【００２３】
【課題を解決するための手段】
上記目的を達成するために、本発明に係る無線通信装置は、周波数分割複信方式で無線通信を行う無線通信装置であって、送信信号を出力する送信部と、前記送信部から出力された送信信号を送信する第１のアンテナと、前記第１のアンテナで受信した信号を入力する受信部と、前記第１のアンテナを前記送信部および前記受信部で共用する共用器と、前記第１のアンテナと空間結合し、前記第１のアンテナから送信された送信信号を受信する空間結合手段と、前記空間結合手段が受信した信号を外部に出力する出力部と、を備えている。したがって、高周波測定器等の試験装置を用いれば、出力部から外部に出力された信号に基づいて第１のアンテナの故障を検出することができる。このため、周波数分割複信方式（ＦＤＤ）においても、電界ボックスを用意することなく、簡単な構成でアンテナの故障を検出することができる。
【００２４】
また、本発明に係る無線通信装置は、前記共用器、前記第１のアンテナ、前記出力部および前記空間結合手段の接続を切り替える切替手段を備え、前記第１のアンテナの故障を検出する際、前記切替手段は、前記共用器と前記第１のアンテナとを接続すると共に、前記空間結合手段と前記出力部とを接続し、前記送信部の故障を検出する際、前記切替手段は、前記共用器と前記出力部とを接続し、前記出力部は前記送信部からの送信信号を外部に出力することが望ましい。
【００２５】
また、本発明に係る無線通信装置は、前記出力部は、当該無線通信装置の筐体に設けられた外部コネクタであり、当該外部コネクタにはケーブルを介して高周波測定器が接続されることが望ましい。
【００２６】
また、本発明に係る無線通信装置は、周波数分割複信方式で無線通信を行う無線通信装置であって、送信周波数帯域の送信信号を出力する送信部と、前記送信部から出力された送信信号を送信する第１のアンテナと、前記第１のアンテナで受信した受信周波数帯域の信号を入力する受信部と、前記第１のアンテナを前記送信部および前記受信部で共用する共用器と、前記送信周波数帯域および前記受信周波数帯域に整合して前記第１のアンテナと空間結合し、前記第１のアンテナから送信された送信信号を受信する空間結合手段と、前記第１のアンテナの故障を検出する際、前記送信部から出力された送信信号を前記受信周波数帯域に制御する信号制御手段と、前記受信部に設けられ、前記空間結合手段が受信した信号のレベルを検出するレベル検出手段と、前記レベル検出手段によって検出された信号のレベルに基づいて、前記第１のアンテナの故障を検出する故障検出手段と、を備えている。したがって、高周波測定器等の試験装置を別途用意することなく、第１のアンテナの故障を検出できる。
【００２７】
また、本発明に係る無線通信装置は、前記送信部の故障を検出する際、前記信号制御手段は、前記送信部から出力された送信信号を前記受信周波数帯域に制御し、前記故障検出手段は、前記レベル検出手段によって検出された信号のレベルに基づいて、前記送信部の故障を検出することが望ましい。
【００２８】
また、本発明に係る無線通信装置は、前記送信部、前記第１のアンテナ、前記空間結合手段および前記受信部の接続を切り替える切替手段を備え、前記第１のアンテナの故障を検出する際、前記切替手段は、前記送信部と前記第１のアンテナとを接続すると共に、前記空間結合手段と前記受信部とを接続し、前記送信部の故障を検出する際、前記切替手段は、前記送信部と前記受信部とを接続し、前記故障検出手段は、前記受信部に入力された前記送信部からの送信信号に基づいて、前記送信部の故障を検出することが望ましい。
【００２９】
また、本発明に係る無線通信装置は、前記送信部と前記受信部との間に、前記送信部からの送信信号を減衰させる減衰手段を備え、前記送信部の故障を検出する際、前記レベル検出手段は、前記減衰手段によって減衰された送信信号のレベルを検出することが望ましい。
【００３０】
また、本発明に係る無線通信装置は、前記故障検出手段による検出結果として、前記第１のアンテナの状態を報知する報知手段を備えている。したがって、第１のアンテナの異常を報知できる。
【００３１】
また、本発明に係る無線通信装置は、前記空間結合手段は結合素子であることが望ましい。
【００３２】
また、本発明に係る無線通信装置は、前記空間結合手段は第２のアンテナである。このため、結合素子を必要とせずにアンテナの故障を検出できる。したがって、回路規模の増大を抑えることができる。
【００３３】
また、本発明に係る無線通信装置は、第１の筐体および第２の筐体を有する折り畳み自在な無線通信装置であって、前記第１の筐体に設けられた受話部付近に前記第１のアンテナが配置され、前記第２の筐体に設けられた送話部付近に前記空間結合手段が配置されている。したがって、無線通信装置を折り畳んだ際に、第１のアンテナと空間結合手段の空間結合の損失を抑えることができるため、第１のアンテナの故障検出を精度良く行える。
【００３４】
また、本発明に係るアンテナ故障検出方法は、送信信号を出力する送信部と、前記送信部から出力された送信信号を送信する第１のアンテナと、前記第１のアンテナで受信した信号を入力する受信部と、前記第１のアンテナを前記送信部および前記受信部で共用する共用器と、を備えた、周波数分割複信方式で無線通信を行う無線通信装置のアンテナ故障検出方法であって、前記第１のアンテナと空間結合する空間結合手段が前記第１のアンテナから送信された送信信号を受信するステップと、前記空間結合手段が受信した信号を出力部から外部に出力するステップと、前記外部に出力された信号に基づいて、前記第１のアンテナの故障検出を行うステップと、を有する。
【００３５】
さらに、本発明に係るアンテナ故障検出方法は、送信周波数帯域の送信信号を出力する送信部と、前記送信部から出力された送信信号を送信する第１のアンテナと、前記第１のアンテナで受信した受信周波数帯域の信号を入力する受信部と、前記第１のアンテナを前記送信部および前記受信部で共用する共用器と、を備えた、周波数分割複信方式で無線通信を行う無線通信装置のアンテナ故障検出方法であって、前記送信部から出力された送信信号を前記受信周波数帯域に制御するステップと、前記受信周波数帯域に整合する空間結合手段が、前記第１のアンテナと空間結合して前記第１のアンテナから送信された送信信号を受信するステップと、前記受信部に設けられたレベル検出手段が、前記空間結合手段が受信した信号のレベルを検出するステップと、前記レベル検出手段によって検出された信号のレベルに基づいて、前記第１のアンテナの故障を検出するステップと、を有する。
【００３６】
【発明の実施の形態】
以下、本発明に係る無線通信装置およびアンテナ故障検出方法の実施の形態について、図面を参照して説明する。
【００３７】
［第１の実施形態］
図１は、本発明に係る無線通信装置の第１の実施形態の構成を示すブロック図である。第１の実施形態の無線通信装置１１１は、第１のアンテナ１０１、特許請求の範囲の切替手段に該当する第１の高周波信号切替部１０２および第２の高周波信号切替部１０３、共用器１０４、出力部に該当する外部コネクタ１０５、送信部１０６、受信部１０７、シンセサイザ部１０８、制御部１０９、および空間結合手段に該当する結合素子１１０を備えて構成されている。
【００３８】
図２は、第１の実施形態の無線通信装置１１１の筐体およびその主要な電子部品の配置を示す説明図である。同図に示すように、無線通信装置１１１の筐体には外部コネクタ１０５が取り付けられている。アンテナの故障を検出する場合、外部コネクタ１０５に装着された外部コネクタケーブル１１３を介して、無線通信装置１１１は高周波測定器（図示せず）に接続される。
【００３９】
本実施形態の無線通信装置１１１は、周波数分割複信方式（ＦＤＤ）の無線通信システムに対応しており、通常運用時、送信部１０６が上り周波数帯域（例えば、１９２０ＭＨｚ〜１９８０ＭＨｚ）の高周波信号を送信し、受信部１０７が下り周波数帯域（例えば、２１１０ＭＨｚ〜２１７０ＭＨｚ）の高周波信号を受信することで無線通信を行う。
【００４０】
第１のアンテナ１０１は、送信部１０６から出力される高周波信号を基地局等に伝送し、また基地局から到来する受信信号を受信部１０７に伝送する。第１のアンテナ１０１は、例えば基板上の内蔵モノポールアンテナから構成され、送信部１０６における送信周波数帯域（例えば、１９２０ＭＨｚ〜１９８０ＭＨｚ）および受信部１０７における受信周波数帯域（例えば、２１１０ＭＨｚ〜２１７０ＭＨｚ）に整合している。一方、送信周波数および受信周波数帯域以外の周波数帯域では、第１のアンテナ１０１の利得が低下する。
【００４１】
第１の高周波信号切替部１０２は、第１のアンテナ１０１により送受信を行う際、制御部１０９からの制御信号に従って第１のアンテナ１０１と共用器１０４との間を接続する一方、送信部１０６から出力される高周波信号を外部コネクタ１０５に出力する際、制御部１０９からの制御信号に従って共用器１０４と第２の高周波信号切替部１０３との間を接続する。
【００４２】
第２の高周波信号切替部１０３は、送信部１０６から出力される高周波信号を外部コネクタ１０５に出力する際、制御部１０９からの制御信号に従って第１の高周波信号切替部１０２と外部コネクタ１０５との間を接続する一方、結合素子１１０からの高周波信号を外部コネクタ１０５に出力する際、制御部１０９からの制御信号に従って結合素子１１０と外部コネクタ１０５との間を接続する。
【００４３】
共用器１０４は、送信部１０６および受信部１０７における２つの周波数帯域で第１のアンテナ１０１を共用するものであり、送信部１０６からの送信周波数帯域（例えば、１９２０ＭＨｚ〜１９８０ＭＨｚ）の高周波信号をほとんど損失なく伝送し、第１のアンテナ１０１からの受信周波数帯域（例えば、２１１０ＭＨｚ〜２１７０ＭＨｚ）の高周波信号をほとんど損失なく伝送すると共に、送信部１０６および受信部１０７間のアイソレーションを確保する。
【００４４】
外部コネクタ１０５は、第２の高周波信号切替部１０３に接続されており、第１のアンテナ１０１または送信部１０６の故障を検出する際、第１の高周波信号切替部１０２を経由する送信部１０６からの高周波信号、または結合素子１１０からの高周波信号を外部に出力する。外部コネクタ１０５から出力される高周波信号を、例えばスペクトラムアナライザ等の高周波測定器に入力する場合、前述したように、外部コネクタケーブル１１３が用いられる。
【００４５】
送信部１０６は、制御部１０９からの制御信号およびシンセサイザ部１０８から出力される基準となる高周波信号に従って、送信周波数帯域（例えば、１９２０ＭＨｚ〜１９８０ＭＨｚ）の高周波信号を出力する。
【００４６】
受信部１０７は、制御部１０９からの制御信号およびシンセサイザ部１０８から出力される基準となる高周波信号に従って、受信周波数帯域（例えば、２１１０ＭＨｚ〜２１７０ＭＨｚ）の高周波信号を受信する。また、受信部１０７はレベル検出回路を内蔵し、受信動作時、受信部１０７に入力される受信入力レベル（受信電界強度（ＲＳＳＩ））を検出する。
【００４７】
シンセサイザ部１０８は、制御部１０９からの制御信号に従って、送信部１０６が送信周波数帯域（例えば、１９２０ＭＨｚ〜１９８０ＭＨｚ）の高周波信号を送信できるように、基準となる高周波信号を送信部１０６に出力する一方、受信部１０７が受信周波数帯域（例えば、２１１０ＭＨｚ〜２１７０ＭＨｚ）の高周波信号を受信できるように、基準となる高周波信号を受信部１０７に出力する。
【００４８】
制御部１０９は、通常運用時、第１のアンテナ１０１を用いて無線通信が行えるように、第１および第２の高周波信号切替部１０２，１０３、送信部１０６、受信部１０７およびシンセサイザ部１０８を制御する。また、制御部１０９は、故障検出時、送信部１０６から出力される高周波信号を直接、外部コネクタ１０５に出力し、また、送信部１０６からの送信信号を第１のアンテナ１０１および結合素子１１０を介して外部コネクタ１０５に出力するように、第１および第２の高周波信号切替部１０２，１０３、送信部１０６およびシンセサイザ部１０８を制御する。
【００４９】
結合素子１１０は、第１のアンテナ１０１と空間結合しており、空間結合された第１のアンテナ１０１から送信される高周波信号を第２の高周波信号切替部１０３に出力する。結合素子１１０には、例えばチップアンテナや基板上に形成されたパターンが用いられる。結合素子１１０は、送信周波数帯域（例えば１９２０ＭＨｚ〜１９８０ＭＨｚ）および受信周波数帯域（例えば２１１０ＭＨｚ〜２１７０ＭＨｚ）に整合しており、送信および受信周波数帯域の利得が高く設定されている。
【００５０】
外部コネクタケーブル１１３は、高周波測定器を外部コネクタ１０５に接続するものであり、外部コネクタ１０５から出力された高周波信号をほとんど損失なく高周波測定器に入力する。
【００５１】
次に、上記構成の無線通信装置１１１が行う第１のアンテナ１０１の故障検出動作について説明する。第１のアンテナ１０１の故障検出を行う手順としては、まず送信部１０６の故障検出を行って送信部１０６が正常に動作していることを確認した後、第１のアンテナ１０１の故障検出を行う。
【００５２】
まず、送信部１０６の故障検出を行うための準備として、制御部１０９は、共用器１０４と第２の高周波信号切替部１０３との間を接続するために、第１の高周波信号切替部１０２を制御すると共に、第１の高周波信号切替部１０２と外部コネクタ１０５との間を接続するために、第２の高周波信号切替部１０３を制御する。
【００５３】
送信部１０６は、送信信号として送信周波数帯域（例えば、１９５０ＭＨｚ）の高周波信号を出力する。送信部１０６から出力された高周波信号は、共用器１０４、第１および第２の高周波信号切替部１０２，１０３を介して外部コネクタ１０５に出力される。外部コネクタ１０５に出力される送信部１０６からの送信信号は、外部コネクタケーブル１１３を介して、例えばスペクトラムアナライザ等の高周波測定器に入力される。高周波測定器では、その信号レベル（測定値レベルＺ）が評価される。
【００５４】
ここで、送信周波数帯域（１９２０ＭＨｚ〜１９８０ＭＨｚ）における共用器１０４の通過損失（Ｌ１０４）を１ｄＢ、第１の高周波信号切替部１０２の通過損失（Ｌ１０２）を１ｄＢ、第２の高周波信号切替部１０３の通過損失（Ｌ１０３）を１ｄＢとすると、送信部１０６からＸ＝０ｄＢｍの信号を出力した場合、外部コネクタ１０５に出力される信号レベルの理論値Ｙは、数式（３）に示すように、Ｙ＝−３ｄＢｍとなる。
【００５５】
Ｙ［ｄＢｍ］＝Ｘ−Ｌ１０４−Ｌ１０２−Ｌ１０３　…（３）
【００５６】
図３は、第１の実施形態の無線通信装置が有する送信部１０６の故障検出処理手順を示すフローチャートである。送信部１０６の故障検出時、送信部１０６からＸ＝０ｄＢｍの信号を出力する（ステップＳ１）。このとき、スペクトラムアナライザによって測定される測定値レベルＺが理論値Ｙと一致したか否かを判別する（ステップＳ２）。測定値レベルＺが理論値Ｙと一致した場合、送信部１０６は正常に動作していると判断し（ステップＳ３）、本処理を終了する。一方、測定値レベルＺが理論値Ｙに一致しない場合、送信部１０６が故障していると判断し（ステップＳ４）、本処理を終了する。ここで、送信部１０６が正常に動作していることを確認できた場合のみ、第１のアンテナ１０１の故障検出を行う。
【００５７】
次に、第１のアンテナ１０１の故障検出を行うための準備として、制御部１０９は、共用器１０４と第１のアンテナ１０１との間を接続するために、第１の高周波信号切替部１０２を制御すると共に、結合素子１１０と外部コネクタ１０５との間を接続するために、第２の高周波信号切替部１０３を制御する。
【００５８】
送信部１０６は、送信信号として送信周波数帯域（例えば、１９５０ＭＨｚ）の高周波信号を出力する。送信部１０６から出力された送信信号は、共用器１０４および第１の高周波信号切替部１０２を介して、第１のアンテナ１０１から送信される。第１のアンテナ１０１から送信された送信信号は、第１のアンテナ１０１と空間結合された結合素子１１０によって受信され、第２の高周波信号切替部１０３を介して外部コネクタ１０５に出力される。外部コネクタ１０５に出力された送信部１０６からの高周波信号は、外部コネクタケーブル１１３を介して、例えばスペクトラムアナライザ等の高周波測定器に入力される。高周波測定器では、その信号レベル（測定値レベルＺ）が評価される。
【００５９】
ここで、送信周波数帯域（１９２０ＭＨｚ〜１９８０ＭＨｚ）における第１のアンテナ１０１のアンテナ利得（Ｇ１０１）を−３ｄＢ、送信周波数帯域（１９２０ＭＨｚ〜１９８０ＭＨｚ）における結合素子１１０の利得（Ｇ１１０）を−３ｄＢ、経路１１２の空間結合による損失（Ｌ１１２）を１０ｄＢとすると、送信部１０６からＸ＝０ｄＢｍの信号を出力した場合、外部コネクタ１０５に出力される信号レベルの理論値Ｙは、数式（４）に示すようにＹ＝−１９ｄＢｍとなる。
【００６０】
Ｙ［ｄＢｍ］＝Ｘ−Ｌ１０４−Ｌ１０２＋Ｇ１０１−Ｌ１１２＋Ｇ１１０−Ｌ１０３　…（４）
【００６１】
図４は、第１の実施形態のアンテナ故障検出処理手順を示すフローチャートである。当該手順では、送信部１０６からＸ＝０ｄＢｍの信号を出力する（ステップＳ１１）。このとき、スペクトラムアナライザによって測定される測定値レベルＺが理論値Ｙと一致しているか否かを判別する（ステップＳ１２）。測定値レベルＺが理論値Ｙと一致した場合、第１のアンテナ１０１は正常に動作していると判断し（ステップＳ１３）、本処理を終了する。一方、測定値レベルＺが理論値Ｙに一致しない場合、第１のアンテナ１０１が故障していると判断し（ステップＳ１４）、本処理を終了する。
【００６２】
以上説明したように、第１の実施形態の無線通信装置１１１およびアンテナ故障検出方法では、第１のアンテナ１０１から送信された高周波信号を、第１のアンテナ１０１と空間結合された結合素子１１０によって受信して外部コネクタ１０５に出力し、外部コネクタ１０５から出力される高周波信号の信号レベルを高周波測定器によって評価することで、第１のアンテナ１０１の故障検出を行う。したがって、周波数分割複信方式（ＦＤＤ）の無線通信装置１１１に対して、電界ボックスを別途用意することなく、簡単な構成で第１のアンテナ１０１の故障を検出することができる。
【００６３】
なお、第１のアンテナ１０１として、筐体の外部に接続されるホイップアンテナやヘリカルアンテナを用いても同様の効果を得ることができる。また、無線通信装置１１１内の送信部１０６および受信部１０７の変復調方式として、ヘテロダイン方式またはダイレクトコンバージョン方式のどちらを用いても同様の効果を得ることができる。
【００６４】
［第２の実施形態］
図５は、第２の実施形態の無線通信装置１２１の筐体およびその主要な電子部品の配置を示す説明図である。同図に示すように、第２の実施形態の無線通信装置１２１は、第１の実施形態の無線通信装置１１１と略同一の電気的構成であるため、同一の構成要素には同一の符号を付す。なお、第２の実施形態の無線通信装置１２１は、受話部３０１を有する第１の筐体（ケース）と送話部３０２を有する第２の筐体（ケース）とが開閉自在な折畳式の無線通信装置である。
【００６５】
受話部３０１は、通常運用時、通話中に通話相手の音声を出力する。送話部３０２は、通常運用時、通話中に利用者の音声を通話相手に伝達する。第１のアンテナ１０１は、受話部３０１付近に配置されており、第１の実施形態と同様の動作を行う。結合素子１１０は、無線通信装置１２１を折り畳んだときに第１のアンテナ１０１と近接するよう送話部３０２付近に配置されており、第１の実施形態と同様の動作を行う。
【００６６】
経路１１２は、第１のアンテナ１０１と結合素子１１０との空間結合により形成されるものである。一般的に、無線通信装置１２１の筐体が第１のアンテナ１０１と結合素子１１０との間を隔てると、第１のアンテナ１０１と結合素子１１０との空間結合が弱まり、経路１１２による損失が大きくなる。
【００６７】
上記構成の無線通信装置１２１では、折り畳んだ状態、つまり第１のアンテナ１０１と結合素子１１０の空間結合を強めた状態で、第１のアンテナ１０１の故障検出を行う。なお、第１のアンテナ１０１の故障検出は第１の実施形態と同様の方法で行うため、その説明は省略する。
【００６８】
送信部１０６の故障検出では、送信周波数帯域（１９２０ＭＨｚ〜１９８０ＭＨｚ）における共用器１０４の通過損失（Ｌ１０４）を１ｄＢ、第１の高周波信号切替部１０２の通過損失（Ｌ１０２）を１ｄＢ、第２の高周波信号切替部１０３の通過損失（Ｌ１０３）を１ｄＢとすると、送信部１０６からＸ＝０ｄＢｍの信号を出力した場合、外部コネクタ１０５に出力される信号レベルの理論値Ｙは、数式（３）に示すように、Ｙ＝−３ｄＢｍとなる。
【００６９】
また、第１のアンテナ１０１の故障検出では、送信周波数帯域（１９２０ＭＨｚ〜１９８０ＭＨｚ）における第１のアンテナ１０１のアンテナ利得（Ｇ１０１）を−３ｄＢ、送信周波数帯域（１９２０ＭＨｚ〜１９８０ＭＨｚ）における結合素子１１０の利得（Ｇ１１０）を−３ｄＢ、また、経路１１２の空間結合による損失（Ｌ１１２）を２０ｄＢとすると、送信部１０６からＸ＝０ｄＢｍの信号を出力した場合、外部コネクタ１０５に出力される信号レベルの理論値Ｙは、数式（４）に示すように、Ｙ＝−２９ｄＢｍとなる。
【００７０】
このように、第２の実施形態では、無線通信装置１２１を折り畳んだとき第１のアンテナ１０１との距離が近くなる位置に結合素子１１０が配置されているため、この折り畳んだ状態で第１のアンテナ１０１の故障検出を行う際、第１のアンテナ１０１と結合素子１１０の空間結合の損失を抑えることができる。したがって、アンテナの故障検出を精度良く行える折畳式の無線通信装置を実現することができる。
【００７１】
なお、第２の実施形態では、受話部３０１付近に第１のアンテナ１０１を配置し、かつ送話部３０２付近に結合素子１１０を配置したが、逆に受話部３０１付近に結合素子１１０を配置し、かつ送話部３０２付近に第１のアンテナ１０１を配置しても同様の効果を得ることができる。
【００７２】
［第３の実施形態］
第３の実施形態の無線通信装置は、周波数分割複信方式（ＦＤＤ）の無線通信システムに対応し、複数のアンテナ（第１、第２のアンテナ）を備え、通常運用時は通信状態の良いアンテナを選択しながら無線通信を行う。
【００７３】
図６は、本発明に係る無線通信装置の第３の実施形態の構成を示すブロック図である。同図において、第１の実施形態と同一の構成要素には同一の符号が付されている。第３の実施形態の無線通信装置１３１は、第１の実施形態と比較して、結合素子１１０の代わりに特許請求の範囲の空間結合手段に該当する第２のアンテナ４０１を有する他、第３の高周波信号切替部４０２、第４の高周波信号切替部４０３、第５の高周波信号切替部４０４および第６の高周波信号切替部４０５を備えて構成されている。
【００７４】
第２のアンテナ４０１は、第１のアンテナ１０１と同様、送信部１０６から出力される高周波信号を基地局等に伝送し、また基地局から到来する受信信号を受信部１０７に伝送するためのものである。第２のアンテナ４０１は、例えば基板上に形成された内蔵モノポールアンテナから構成され、送信部１０６の送信周波数帯域（例えば、１９２０ＭＨｚ〜１９８０ＭＨｚ）および受信部１０７の受信周波数帯域（例えば、２１１０ＭＨｚ〜２１７０ＭＨｚ）に整合している。なお、送信周波数および受信周波数帯域以外の周波数帯域では、アンテナの利得が低下する。
【００７５】
第３の高周波信号切替部４０２は、第１のアンテナ１０１により送受信を行う際、制御部１０９からの制御信号に従って第１のアンテナ１０１と共用器１０４との間を接続する一方、第２のアンテナ４０１で送受信を行う際、または送信部１０６から出力される高周波信号を外部コネクタ１０５に出力する際、制御部１０９からの制御信号に従って共用器１０４と第４の高周波信号切替部４０３との間を接続する。
【００７６】
第４の高周波信号切替部４０３は、第２のアンテナ４０１により送受信を行う際、制御部１０９からの制御信号に従って第３の高周波信号切替部４０２と第５の高周波信号切替部４０４との間を接続する一方、送信部１０６から出力される高周波信号を外部コネクタ１０５に出力する際、制御部１０９からの制御信号に従って第３の高周波信号切替部４０２と第６の高周波信号切替部４０５との間を接続する。
【００７７】
第５の高周波信号切替部４０４は、第２のアンテナ４０１により送受信を行う際、制御部１０９からの制御信号に従って第２のアンテナ４０１と第４の高周波信号切替部４０３との間を接続する一方、第１のアンテナ１０１と第２のアンテナ４０１との空間結合により得られる高周波信号を外部コネクタ１０５に出力する際、制御部１０９からの制御信号に従って第２のアンテナ４０１と第６の高周波信号切替部４０５との間を接続する。
【００７８】
第６の高周波信号切替部４０５は、送信部１０６から出力される高周波信号を外部コネクタ１０５に出力する際、制御部１０９からの制御信号に従って第４の高周波信号切替部４０３と外部コネクタ１０５との間を接続する一方、第１のアンテナ１０１と第２のアンテナ４０１の空間結合により得られる高周波信号を外部コネクタ１０５に出力する際、制御部１０９からの制御信号に従って外部コネクタ１０５と第５の高周波信号切替部４０４との間を接続する。
【００７９】
次に、上記構成の無線通信装置１３１が行う第１および第２のアンテナ１０１，４０１の故障検出動作について説明する。第１および第２のアンテナ１０１，４０１の故障検出を行う手順としては、まず送信部１０６の故障検出を行って送信部１０６が正常に動作していることを確認した後、第１および第２のアンテナ１０１，４０１の故障検出を行う。
【００８０】
まず、送信部１０６の故障検出を行うための準備として、制御部１０９は、第３の高周波信号切替部４０２を制御して共用器１０４と第４の高周波信号切替部４０３との間を接続させ、第４の高周波信号切替部４０３を制御して第３の高周波信号切替部４０２と第６の高周波信号切替部４０５との間を接続させ、第６の高周波信号切替部４０５を制御して第４の高周波信号切替部４０３と外部コネクタ１０５との間を接続させる。
【００８１】
送信部１０６は、送信信号として送信周波数帯域（例えば１９５０ＭＨｚ）の高周波信号を出力する。送信部１０６から出力された高周波信号は、共用器１０４、第３、第４および第６の高周波信号切替部４０２，４０３，４０５を介して、外部コネクタ１０５に出力される。外部コネクタ１０５に出力される送信部１０６からの送信信号は、第１の実施形態と同様、外部コネクタケーブル１１３を介して、例えばスペクトラムアナライザ等の高周波測定器に入力される。高周波測定器では、その信号レベル（測定値レベルＺ）が評価される。
【００８２】
ここで、送信周波数帯域（１９２０ＭＨｚ〜１９８０ＭＨｚ）における共用器１０４の通過損失（Ｌ１０４）を１ｄＢ、第３の高周波信号切替部４０２の通過損失（Ｌ４０２）を１ｄＢ、第４の高周波信号切替部４０３の通過損失（Ｌ４０３）を１ｄＢ、第６の高周波信号切替部４０５の通過損失（Ｌ４０５）を１ｄＢとすると、送信部１０６からＸ＝０ｄＢｍの信号を出力した場合、外部コネクタ１０５に出力される信号レベルの理論値Ｙは、数式（５）に示すようにＹ＝−４ｄＢｍとなる。
【００８３】
Ｙ［ｄＢｍ］＝Ｘ−Ｌ１０４−Ｌ４０２−Ｌ４０３−Ｌ４０５　…（５）
【００８４】
送信部１０６の故障検出処理は、第１の実施形態と同様、図３のフローチャートに示した手順で行われる。すなわち、送信部１０６の故障検出時、送信部１０６からＸ＝０ｄＢｍの信号を出力する（ステップＳ１）。このとき、スペクトラムアナライザによって測定される測定値レベルＺが理論値Ｙと一致したか否かを判別する（ステップＳ２）。測定値レベルＺが理論値Ｙと一致した場合、送信部１０６は正常に動作していると判断し（ステップＳ３）、本処理を終了する。一方、測定値レベルＺが理論値Ｙに一致しない場合、送信部１０６が故障していると判断し（ステップＳ４）、本処理を終了する。ここで、送信部１０６が正常に動作していることを確認できた場合のみ、第１のアンテナ１０１および第２のアンテナ４０１の故障検出を行う。
【００８５】
次に、第１のアンテナ１０１および第２のアンテナ４０１の故障を検出するための準備として、制御部１０９は、第３の高周波信号切替部４０２を制御して共用器１０４と第１のアンテナ１０１との間を接続させ、第５の高周波信号切替部４０４を制御して第２のアンテナ４０１と第６の高周波信号切替部４０５との間を接続させ、第６の高周波信号切替部４０５を制御して第５の高周波信号切替部４０４と外部コネクタ１０５との間を接続させる。
【００８６】
送信部１０６は、送信信号として送信周波数帯域（例えば１９５０ＭＨｚ）の高周波信号を出力する。送信部１０６から出力された送信信号は、共用器１０４および第３の高周波信号切替部４０２を介して、第１のアンテナ１０１から送信される。第１のアンテナ１０１から送信された送信信号は、空間結合された第２のアンテナ４０１によって受信され、第５および第６の高周波信号切替部４０４，４０５を介して外部コネクタ１０５に出力される。外部コネクタ１０５に出力された送信部１０６からの高周波信号は、第１の実施形態と同様、外部コネクタケーブル１１３を介して、例えばスペクトラムアナライザ等の高周波測定器に入力される。高周波測定器では、その信号レベル（測定値レベルＺ）が評価される。
【００８７】
ここで、送信周波数帯域（１９２０ＭＨｚ〜１９８０ＭＨｚ）における第１のアンテナ１０１のアンテナ利得（Ｇ１０１）を−３ｄＢ、送信周波数帯域（１９２０ＭＨｚ〜１９８０ＭＨｚ）における第２のアンテナ４０１の利得（Ｇ４０１）を−３ｄＢ、経路１１２の空間結合による損失（Ｌ１１２）を１０ｄＢとすると、送信部１０６からＸ＝０ｄＢｍの信号を出力した場合、外部コネクタ１０５に出力される信号レベルの理論値Ｙは、数式（６）に示すようにＹ＝−２０ｄＢｍとなる。
【００８８】
Ｙ［ｄＢｍ］＝Ｘ−Ｌ１０４−Ｌ４０２＋Ｇ１０１−Ｌ１１２＋Ｇ４０１−Ｌ４０４−Ｌ４０５　…（６）
【００８９】
第１および第２のアンテナ１０１，４０１の故障検出処理は、第１の実施形態と同様、図４のフローチャートに示した手順で行われる。すなわち、第１および第２のアンテナ１０１，４０１の故障検出では、送信部１０６からＸ＝０ｄＢｍの信号を出力する（ステップＳ１１）。このとき、スペクトラムアナライザによって測定される測定値レベルＺが理論値Ｙと一致しているか否かを判別する（ステップＳ１２）。測定値レベルＺが理論値Ｙと一致した場合、第１および第２のアンテナ１０１、４０１は正常に動作していると判断し（ステップＳ１３）、本処理を終了する。一方、測定値レベルＺが理論値Ｙに一致しない場合、第１および第２のアンテナ１０１、４０１が故障していると判断し（ステップＳ１４）、本処理を終了する。
【００９０】
以上説明したように、第３の実施形態の無線通信装置１３１およびアンテナ故障検出方法では、第１のアンテナ１０１から送信された高周波信号を、第１のアンテナ１０１と第２のアンテナ４０１との空間結合によって外部コネクタ１０５に出力し、外部コネクタ１０５から出力される高周波信号の信号レベルを高周波測定器によって評価することで、第１および第２のアンテナ１０１，４０１の故障検出を行う。したがって、結合素子を必要とせずに第１および第２のアンテナ１０１，４０１の故障を検出することができる。
【００９１】
なお、第１および第２のアンテナ１０１，４０１として、筐体の外部に接続されるホイップアンテナやヘリカルアンテナを用いても同様の効果を得ることができる。また、無線通信装置１３１内の送信部１０６および受信部１０７の変復調方式として、ヘテロダイン方式またはダイレクトコンバージョン方式のどちらを用いても同様の効果を得ることができる。
【００９２】
［第４の実施形態］
図７は、第４の実施形態の無線通信装置１４１の筐体およびその主要な電子部品の配置を示す説明図である。同図に示すように、第４の実施形態の無線通信装置１４１は、第３の実施形態の無線通信装置１３１と略同一の電気的構成であるため、同一の構成要素には同一の符号を付す。なお、第４の実施形態の無線通信装置１４１は、受話部３０１を有する第１の筐体（ケース）と送話部３０２を有する第２の筐体（ケース）とが開閉自在な折畳式の無線通信装置である。
【００９３】
第１のアンテナ１０１は受話部３０１付近に配置されている。第２のアンテナ４０１は、無線通信装置１４１を折り畳んだときに第１のアンテナ１０１と近接するように送話部３０２付近に配置されており、第３の実施形態と同様の動作を行う。経路１１２は、前述したように、第１のアンテナ１０１と第２のアンテナ４０１との空間結合により形成されるものである。一般的に、無線通信装置１４１の筐体が第１のアンテナ１０１と第２のアンテナ４０１の間を隔てると、第１のアンテナ１０１と第２のアンテナ４０１との空間結合が弱まり、経路１１２による損失が大きくなる。
【００９４】
上記構成の無線通信装置１４１では、折り畳んだ状態、つまり第１のアンテナ１０１と第２のアンテナ４０１との空間結合を強めた状態で、第１のアンテナ１０１および第２のアンテナ４０１の故障検出を行う。なお、第１のアンテナ１０１および第２のアンテナ４０１の故障検出は、第３の実施形態と同様の方法で行うので、その説明は省略する。
【００９５】
送信部１０６の故障検出では、送信周波数帯域（１９２０ＭＨｚ〜１９８０ＭＨｚ）における共用器１０４の通過損失（Ｌ１０４）を１ｄＢ、第３の高周波信号切替部４０２の通過損失（Ｌ４０２）を１ｄＢ、第４の高周波信号切替部４０３の通過損失（Ｌ４０３）を１ｄＢ、第６の高周波信号切替部４０５の通過損失（Ｌ４０５）を１ｄＢとすると、送信部１０６からＸ＝０ｄＢｍの信号を出力した場合、外部コネクタ１０５に出力される信号レベルの理論値Ｙは、数式（５）に示すように、Ｙ＝−４ｄＢｍとなる。
【００９６】
また、第１のアンテナ１０１および第２のアンテナ４０１の故障検出では、送信周波数帯域（１９２０ＭＨｚ〜１９８０ＭＨｚ）における第１のアンテナ１０１のアンテナ利得（Ｇ１０１）を−３ｄＢ、送信周波数帯域（１９２０ＭＨｚ〜１９８０ＭＨｚ）における第２のアンテナ４０１の利得（Ｇ４０１）を−３ｄＢ、経路１１２の空間結合による損失（Ｌ１１２）を２０ｄＢとすると、送信部１０６からＸ＝０ｄＢｍの信号を出力した場合、外部コネクタ１０５に出力される信号レベルの理論値Ｙは、数式（６）に示すように、Ｙ＝−３０ｄＢｍとなる。
【００９７】
以上説明したように、第４の実施形態では、無線通信装置１４１を折り畳んだとき第１のアンテナ１０１との距離が近くなる位置に第２のアンテナ４０１が配置されているため、この折り畳んだ状態で第１のアンテナ１０１の故障検出を行う際、第１のアンテナ１０１と第２のアンテナ４０１との空間結合の損失を抑えることができる。したがって、アンテナの故障検出を精度良く行える折畳式の無線通信装置を実現することができる。
【００９８】
なお、第４の実施形態では、受話部３０１付近に第１のアンテナ１０１を配置し、かつ送話部３０２付近に第２のアンテナ４０１を配置したが、逆に受話部３０１付近に第２のアンテナ４０１を配置し、かつ送話部３０２付近に第１のアンテナ１０１を配置しても同様の効果を得ることができる。
【００９９】
［第５の実施形態］
図８は、本発明に係る無線通信装置の第５の実施形態の構成を示すブロック図である。同図において、第１の実施形態と同一の構成要素には同一の符号が付されている。第５の実施形態の無線通信装置１５１は、第１の実施形態と比較して、外部コネクタ１０５を有しておらず、また、特許請求の範囲の切替手段に該当する第７の高周波信号切替部６０１、第８の高周波信号切替部６０２および第９の高周波信号切替部６０３と、減衰手段に該当する高周波信号減衰部６０４とを備えて構成されている。さらに、受信部１０７にはレベル検出手段に該当するレベル検出回路１０７ａが内蔵されており、このレベル検出回路１０７ａを用いてアンテナの故障検出が行われる。
【０１００】
本実施形態のシンセサイザ部１０８は、通常運用時、制御部１０９からの制御信号に従って、送信部１０６が送信周波数帯域（例えば、１９２０ＭＨｚ〜１９８０ＭＨｚ）の信号を出力できるように、基準となる高周波信号を送信部１０６に出力する一方、受信部１０７が受信周波数帯域（例えば、２１１０ＭＨｚ〜２１７０ＭＨｚ）の信号を入力できるように、基準となる高周波信号を受信部１０７に出力する。
【０１０１】
また、シンセサイザ部１０８は、送信部１０６の故障検出を行うために送信部１０６から出力される高周波信号を受信部１０７に入力する際、または第１のアンテナ１０１の故障検出を行うために送信部１０６から出力される高周波信号を受信部１０７に入力する際、制御部１０９からの制御信号に従って、送信部１０６が受信周波数帯域（例えば、２１１０ＭＨｚ〜２１７０ＭＨｚ）の高周波信号を出力できるように、基準となる高周波信号を送信部１０６に出力する。なお、シンセサイザ部１０８および制御部１０９は特許請求の範囲の信号制御手段に該当する。
【０１０２】
第７の高周波信号切替部６０１は、第１のアンテナで送受信を行う際、制御部１０９からの制御信号に従って共用器１０４と送信部１０６との間を接続する一方、送信部１０６の故障検出を行うために送信部１０６から出力される高周波信号を受信部１０７に入力する際、制御部１０９からの制御信号に従って送信部１０６と高周波信号減衰部６０４との間を接続する。
【０１０３】
第８の高周波信号切替部６０２は、第１のアンテナ１０１で送受信を行う際、または第１のアンテナ１０１の故障検出を行うために結合素子１１０からの高周波信号を受信部１０７に入力する際、制御部１０９からの制御信号に従って、受信部１０７と第９の高周波信号切替部６０３との間を接続する。また、送信部１０６の故障検出を行うために送信部１０６から出力される高周波信号を受信部１０７に入力する際、制御部１０９からの制御信号に従って、受信部１０７と高周波信号減衰部６０４との間を接続する。
【０１０４】
第９の高周波信号切替部６０３は、第１のアンテナ１０１で送受信を行う際、制御部１０９からの制御信号に従って、共用器１０４と第８の高周波信号切替部６０２との間を接続する。また、第１のアンテナ１０１の故障検出を行うために結合素子１１０からの高周波信号を受信部１０７に入力する際、制御部１０９からの制御信号に従って、結合素子１１０と第８の高周波信号切替部６０２との間を接続する。
【０１０５】
高周波信号減衰部６０４は、送信部１０６から出力される高周波信号を減衰し（例えば、Ｌ６０４＝２０ｄＢ）、受信部１０７に伝送する。受信部１０７は、前述したように、受信信号のレベルを評価するレベル検出回路１０７ａを有している。
【０１０６】
次に、上記構成の無線通信装置１５１が行う第１のアンテナ１０１の故障検出動作について説明する。第１のアンテナ１０１の故障検出を行う手順としては、まず送信部１０６の故障検出を行って送信部１０６が正常に動作していることを確認した後、第１のアンテナ１０１の故障検出を行う。
【０１０７】
まず、送信部１０６の故障検出を行うための準備として、制御部１０９は、シンセサイザ部１０８を制御し、送信部１０６が受信周波数帯域（例えば２１１０ＭＨｚ）の高周波信号を出力できるようにする。さらに、制御部１０９は、第７の高周波信号切替部６０１を制御して送信部１０６と高周波信号減衰部６０４との間を接続させると共に、第８の高周波信号切替部６０２を制御して高周波信号減衰部６０４と受信部１０７との間を接続させる。
【０１０８】
送信部１０６は、送信信号として受信周波数帯域（例えば２１１０ＭＨｚ）の高周波信号を出力する。送信部１０６から出力された高周波信号は、第７、第８の高周波信号切替部６０１，６０２および高周波信号減衰部６０４を介して、受信部１０７に入力される。受信部１０７に入力された高周波信号は、受信部１０７内のレベル検出回路１０７ａによってその信号レベル（受信入力レベルＺ’）が評価される。
【０１０９】
ここで、受信周波数帯域（２１１０ＭＨｚ〜２１７０ＭＨｚ）における第７の高周波信号切替部６０１の通過損失（Ｌ６０１）を１ｄＢ、高周波信号減衰部６０４の通過損失（Ｌ６０４）を２０ｄＢ、第８の高周波信号切替部６０２の通過損失（Ｌ６０２）を１ｄＢとすると、送信部１０６からＸ＝−２０ｄＢｍの信号を出力した場合、受信部１０７に入力される信号レベルの理論値Ｙは、数式（７）に示すように、Ｙ＝−４２ｄＢｍとなる。
【０１１０】
Ｙ［ｄＢｍ］＝Ｘ−Ｌ６０１−Ｌ６０４−Ｌ６０２　…（７）
【０１１１】
送信部１０６の故障検出処理は、第１の実施形態と同様、図３のフローチャートに示した手順で、制御部１０９によって行われる。すなわち、送信部１０６の故障検出時、送信部１０６からＸ＝−２０ｄＢｍの信号を出力する（ステップＳ１）。このとき、受信部１０７が有するレベル検出回路１０７ａによって評価される受信入力レベルＺ’が理論値Ｙと一致したか否かを判別する（ステップＳ２）。受信入力レベルＺ’が理論値Ｙと一致した場合、送信部１０６は正常に動作していると判断し（ステップＳ３）、本処理を終了する。一方、受信入力レベルＺ’が理論値Ｙに一致しない場合、送信部１０６が故障していると判断し（ステップＳ４）、本処理を終了する。ここで、送信部１０６が正常動作していることを確認できた場合のみ、第１のアンテナ１０１の故障検出を行う。
【０１１２】
次に、第１のアンテナ１０１の故障を検出するための準備として、制御部１０９は、シンセサイザ部１０８を制御し、送信部１０６が受信周波数帯域（例えば２１１０ＭＨｚ）の高周波信号を出力できるようにする。さらに、制御部１０９は、第７の高周波信号切替部６０１を制御して送信部１０６と共用器１０４との間を接続させ、第８の高周波信号切替部６０２を制御して第９の高周波信号切替部６０３と受信部１０７との間を接続させ、第９の高周波信号切替部６０３を制御して結合素子１１０と第８の高周波信号切替部６０２との間を接続させる。
【０１１３】
送信部１０６は、送信信号として受信周波数帯域（例えば２１１０ＭＨｚ）の高周波信号を出力する。送信部１０６から出力された高周波信号は、第７の高周波信号切替部６０１および共用器１０４を介して、第１のアンテナ１０１から送信される。第１のアンテナ１０１から送信された送信信号は、空間結合された結合素子１１０によって受信され、第８および第９の高周波信号切替部６０２，６０３を介して受信部１０７に入力される。送信部１０６からの高周波信号が受信部１０７に入力されると、受信部１０７内のレベル検出回路１０７ａによってその信号レベル（受信入力レベルＺ’）が評価される。
【０１１４】
ここで、受信周波数帯域（２１１０ＭＨｚ〜２１７０ＭＨｚ）における第１のアンテナ１０１のアンテナ利得（Ｇ１０１）を−３ｄＢ、受信周波数帯域（２１１０ＭＨｚ〜２１７０ＭＨｚ）における結合素子１１０の利得（Ｇ１１０）を−３ｄＢ、共用器１０４における送信部１０６および第１のアンテナ１０１間の受信周波数帯域（２１１０ＭＨｚ〜２１７０ＭＨｚ）の損失（Ｉ１０４）を４０ｄＢ、受信周波数帯域（２１１０ＭＨｚ〜２１７０ＭＨｚ）における第９の高周波信号切替部６０３の損失（Ｌ６０３）を１ｄＢ、および経路１１２の空間結合による損失（Ｌ１１２）を１０ｄＢとすると、送信部１０６からＸ＝０ｄＢｍの信号を出力した場合、受信部１０７に入力される信号レベルの理論値Ｙは、数式（８）に示すように、Ｙ＝−５９ｄＢｍとなる。
【０１１５】
Ｙ［ｄＢｍ］＝Ｘ−Ｌ６０１−Ｉ１０４＋Ｇ１０１−Ｌ１１２＋Ｇ１１０−Ｌ６０３−Ｌ６０２　…（８）
【０１１６】
第１のアンテナ１０１の故障検出処理は、第１の実施形態と同様、図４のフローチャートに示した手順で、制御部１０９によって行われる。すなわち、第１のアンテナ１０１の故障検出では、送信部１０６からＸ＝０ｄＢｍの信号を出力する（ステップＳ１１）。このとき、受信部１０７内のレベル検出回路１０７ａによって評価される受信入力レベルＺ’が理論値Ｙと一致しているか否かを判別する（ステップＳ１２）。受信入力レベルＺ’が理論値Ｙと一致した場合、第１のアンテナ１０１は正常に動作していると判断し（ステップＳ１３）、本処理を終了する。一方、受信入力レベルＺ’が理論値Ｙに一致しない場合、第１のアンテナ１０１が故障していると判断し（ステップＳ１４）、本処理を終了する。なお、上記処理を行う制御部１０９は、特許請求の範囲の故障検出手段に該当する。
【０１１７】
以上説明したように、第５の実施形態の無線通信装置１５１およびアンテナ故障検出方法では、送信部１０６から出力された受信周波数帯域の高周波信号を第１のアンテナ１０１から送信し、第１のアンテナ１０１から送信された高周波信号を空間結合された第１のアンテナ１０１および結合素子１１０によって受信部１０７に入力し、その信号レベルを評価することで、第１のアンテナ１０１の故障検出を行う。したがって、周波数分割複信方式（ＦＤＤ）の無線通信装置１５１に対して、高周波測定器を別途用意することなく、簡単な構成で第１のアンテナ１０１の故障検出することができる。
【０１１８】
なお、第１のアンテナ１０１として、筐体の外部に接続されるホイップアンテナやヘリカルアンテナを用いても同様の効果を得ることができる。また、無線通信装置１５１内の送信部１０６および受信部１０７の変復調方式として、ヘテロダイン方式またはダイレクトコンバージョン方式のどちらを用いても同様の効果を得ることができる。
【０１１９】
［第６の実施形態］
図９は、第６の実施形態の無線通信装置１６１の筐体およびその主要な電子部品の配置を示す説明図である。同図に示すように、第６の実施形態の無線通信装置１６１は、第５の実施形態の無線通信装置１５１と略同一の電気的構成であるため、同一の構成要素には同一の符号を付す。なお、第６の実施形態の無線通信装置１６１は、受話部３０１を有する第１の筐体（ケース）と送話部３０２を有する第２の筐体（ケース）とが開閉自在な折畳式の無線通信装置である。
【０１２０】
第１のアンテナ１０１は受話部３０１付近に配置されている。結合素子１１０は、無線通信装置１６１を折り畳んだときに第１のアンテナ１０１と近接するように送話部３０２付近に配置されている。経路１１２は、前述したように、第１のアンテナ１０１と結合素子１１０との空間結合により形成されるものである。一般的に、無線通信装置１６１の筐体が第１のアンテナ１０１と結合素子１１０の間を隔てると、第１のアンテナ１０１と結合素子１１０との空間結合が弱まり、経路１１２による損失が大きくなる。
【０１２１】
上記構成の無線通信装置１６１では、折り畳んだ状態、つまり第１のアンテナ１０１と結合素子１１０との空間結合を強めた状態で、第１のアンテナ１０１および結合素子１１０の故障検出を行う。なお、第１のアンテナ１０１および結合素子１１０の故障検出は、第５の実施形態と同様の方法で行うので、その説明は省略する。
【０１２２】
送信部１０６の故障検出では、受信周波数帯域（２１１０ＭＨｚ〜２１７０ＭＨｚ）における第７の高周波信号切替部６０１の通過損失（Ｌ６０１）を１ｄＢ、また高周波信号減衰部６０４の通過損失（Ｌ６０４）を２０ｄＢ、第８の高周波信号切替部６０２の通過損失（Ｌ６０２）を１ｄＢとすると、送信部１０６からＸ＝−２０ｄＢｍの信号を出力した場合、受信部１０７に入力される信号レベルの理論値Ｙは、数式（７）に示すように、Ｙ＝−４２ｄＢｍとなる。
【０１２３】
また、第１のアンテナ１０１の故障検出では、受信周波数帯域（２１１０ＭＨｚ〜２１７０ＭＨｚ）における第１のアンテナ１０１のアンテナ利得（Ｇ１０１）を−３ｄＢ、受信周波数帯域（２１１０ＭＨｚ〜２１７０ＭＨｚ）における結合素子１１０の利得（Ｇ１１０）を−３ｄＢ、共用器１０４における送信部１０６および第１のアンテナ１０１間の受信周波数帯域（２１１０ＭＨｚ〜２１７０ＭＨｚ）の損失（Ｉ１０４）を−４０ｄＢ、受信周波数帯域（２１１０ＭＨｚ〜２１７０ＭＨｚ）における第９の高周波信号切替部６０３の損失（Ｌ６０３）を１ｄＢ、および経路１１２の空間結合による損失（Ｌ１１２）を２０ｄＢとすると、送信部１０６からＸ＝０ｄＢｍの信号を出力した場合、受信部１０７に入力される信号レベルの理論値Ｙは、数式（８）に示すように、Ｙ＝−６９ｄＢｍとなる。
【０１２４】
以上説明したように、第６の実施形態では、無線通信装置１６１を折り畳んだとき第１のアンテナ１０１との距離が近くなる位置に結合素子１１０が配置されているため、この折り畳んだ状態で第１のアンテナ１０１の故障検出を行う際、第１のアンテナ１０１と結合素子１１０との空間結合の損失を抑えることができる。したがって、アンテナの故障検出を精度良く行える折畳式の無線通信装置を実現することができる。
【０１２５】
なお、第６の実施形態では、受話部３０１付近に第１のアンテナ１０１を配置し、かつ送話部３０２付近に結合素子１１０を配置したが、逆に受話部３０１付近に結合素子１１０を配置し、かつ送話部３０２付近に第１のアンテナ１０１を配置しても同様の効果を得ることができる。
【０１２６】
［第７の実施形態］
図１０は、本発明に係る無線通信装置の第７の実施形態の構成を示すブロック図である。同図において、第２、第５の実施形態と同一の構成要素には同一の符号が付されている。第７の実施形態の無線通信装置１７１は、第５の実施形態と比較して、結合素子１１０の代わりに第２のアンテナ４０１を有する他、第１０の高周波信号切替部８０１および第１１の高周波信号切替部８０２を備えて構成されている。
【０１２７】
第１０の高周波信号切替部８０１は、第１のアンテナ１０１により送受信を行う際、または第１および第２のアンテナの故障を検出する際、制御部１０９からの制御信号に従って、第１のアンテナ１０１と共用器１０４との間を接続する一方、第２のアンテナ４０１により送受信を行う際、共用器１０４と第１１の高周波信号切替部８０２との間を接続する。
【０１２８】
第１１の高周波信号切替部８０２は、第２のアンテナ４０１により送受信を行う際、制御部１０９からの制御信号に従って、第２のアンテナ４０１と第１０の高周波信号切替部８０１との間を接続する一方、第１および第２のアンテナの故障を検出する際、第２のアンテナ４０１と第９の高周波信号切替部６０３との間を接続する。
【０１２９】
次に、上記構成の無線通信装置１７１が行う第１および第２のアンテナ１０１，４０１の故障検出動作について説明する。第１および第２のアンテナ１０１，４０１の故障検出を行う手順としては、まず送信部１０６の故障検出を行って送信部１０６が正常に動作していることを確認した後、第１および第２のアンテナ１０１，４０１の故障検出を行う。
【０１３０】
まず、送信部１０６の故障検出を行うための準備として、制御部１０９は、シンセサイザ部１０８を制御し、送信部１０６が受信周波数帯域（例えば２１１０ＭＨｚ）の高周波信号を出力できるようにする。さらに、制御部１０９は、第７の高周波信号切替部６０１を制御して送信部１０６と高周波信号減衰部６０４との間を接続させると共に、第８の高周波信号切替部６０２を制御して高周波信号減衰部６０４と受信部１０７との間を接続させる。
【０１３１】
送信部１０６は、送信信号として受信周波数帯域（例えば２１１０ＭＨｚ）の高周波信号を出力する。送信部１０６から出力された高周波信号は、第７、第８の高周波信号切替部６０１，６０２および高周波信号減衰部６０４を介して受信部１０７に入力される。受信部１０７に入力された高周波信号は、受信部１０７内のレベル検出回路１０７ａによってその信号レベル（受信入力レベルＺ’）が評価される。
【０１３２】
ここで、受信周波数帯域（２１１０ＭＨｚ〜２１７０ＭＨｚ）における第７の高周波信号切替部６０１の通過損失（Ｌ６０１）を１ｄＢ、高周波信号減衰部６０４の通過損失（Ｌ６０４）を２０ｄＢ、第８の高周波信号切替部６０２の通過損失（Ｌ６０２）を１ｄＢとすると、送信部１０６からＸ＝−２０ｄＢｍの信号を出力した場合、受信部１０７に入力される信号レベルの理論値Ｙは、数式（７）に示すように、Ｙ＝−４２ｄＢｍとなる。
【０１３３】
送信部１０６の故障検出処理は、第１の実施形態と同様、図３のフローチャートに示した手順で、制御部１０９によって行われる。すなわち、送信部１０６の故障検出時、送信部１０６からＸ＝−２０ｄＢｍの信号を出力する（ステップＳ１）。このとき、受信部１０７が有するレベル検出回路１０７ａによって評価される受信入力レベルＺ’が理論値Ｙと一致したか否かを判別する（ステップＳ２）。受信入力レベルＺ’が理論値Ｙと一致した場合、送信部１０６は正常に動作していると判断し（ステップＳ３）、本処理を終了する。一方、受信入力レベルＺ’が理論値Ｙに一致しない場合、送信部１０６が故障していると判断し（ステップＳ４）、本処理を終了する。ここで、送信部１０６が正常に動作していることを確認できた場合のみ、第１および第２のアンテナ１０１，４０１の故障検出を行う。
【０１３４】
次に、第１および第２のアンテナ１０１，４０１の故障を検出するための準備として、制御部１０９は、シンセサイザ部１０８を制御し、送信部１０６が受信周波数帯域（例えば２１１０ＭＨｚ）の高周波信号を出力できるようにする。また、制御部１０９は、第７の高周波信号切替部６０１を制御して送信部１０６と共用器１０４との間を接続させ、第８の高周波信号切替部６０２を制御して第９の高周波信号切替部６０３と受信部１０７との間を接続させ、第９の高周波信号切替部６０３を制御して第１１の高周波信号切替部８０２と第８の高周波信号切替部６０２との間を接続させ、第１０の高周波信号切替部８０１を制御して共用器１０４と第１のアンテナ１０１との間を接続させ、第１１の高周波信号切替部８０２を制御して第２のアンテナ４０１と第９の高周波信号切替部６０３との間を接続させる。
【０１３５】
送信部１０６は、送信信号として受信周波数帯域（例えば２１１０ＭＨｚ）の高周波信号を出力する。送信部１０６から出力された高周波信号は、第７の高周波信号切替部６０１、共用器１０４および第１０の高周波信号切替部８０１を介して、第１のアンテナ１０１から送信される。第１のアンテナ１０１から送信された送信信号は、空間結合された第２のアンテナ４０１によって受信され、第８、第９、第１１の高周波信号切替部６０２，６０３，８０２を介して受信部１０７に入力される。送信部１０６からの高周波信号が受信部１０７に入力されると、受信部１０７内のレベル検出回路１０７ａによってその信号レベル（受信入力レベルＺ’）が評価される。
【０１３６】
ここで、受信周波数帯域（２１１０ＭＨｚ〜２１７０ＭＨｚ）における第１のアンテナ１０１のアンテナ利得（Ｇ１０１）を−３ｄＢ、受信周波数帯域（２１１０ＭＨｚ〜２１７０ＭＨｚ）における第２のアンテナ４０１の利得（Ｇ４０１）を−３ｄＢ、共用器１０４における送信部１０６および第１のアンテナ１０１間の受信周波数帯域（２１１０ＭＨｚ〜２１７０ＭＨｚ）の損失（Ｉ１０４）を−４０ｄＢ、受信周波数帯域（２１１０ＭＨｚ〜２１７０ＭＨｚ）における第９の高周波信号切替部６０３の損失（Ｌ６０３）を１ｄＢ、受信周波数帯域（２１１０ＭＨｚ〜２１７０ＭＨｚ）における第１０の高周波信号切替部８０１の損失（Ｌ８０１）を１ｄＢ、受信周波数帯域（２１１０ＭＨｚ〜２１７０ＭＨｚ）における第１１の高周波信号切替部８０２の損失（Ｌ８０２）を１ｄＢ、および経路１１２の空間結合による損失（Ｌ１１２）を１０ｄＢとすると、送信部１０６からＸ＝０ｄＢｍの信号を出力した場合、受信部１０７に入力される信号レベルの理論値Ｙは、数式（９）に示すように、Ｙ＝−６１ｄＢｍとなる。
【０１３７】
Ｙ［ｄＢｍ］＝Ｘ−Ｌ６０１−Ｉ１０４−Ｌ８０１＋Ｇ１０１−Ｌ１１２＋Ｇ４０１−Ｌ８０２−Ｌ６０３−Ｌ６０２　…（９）
【０１３８】
第１および第２のアンテナ１０１，４０１の故障検出処理は、第１の実施形態と同様、図４のフローチャートに示した手順で、制御部１０９によって行われる。すなわち、第１のアンテナ１０１の故障検出では、送信部１０６からＸ＝０ｄＢｍの信号を出力する（ステップＳ１１）。このとき、受信部１０７内のレベル検出回路１０７ａによって評価される受信入力レベルＺ’が理論値Ｙと一致しているか否かを判別する（ステップＳ１２）。受信入力レベルＺ’が理論値Ｙと一致した場合、第１および第２のアンテナ１０１，４０１は正常に動作していると判断し（ステップＳ１３）、本処理を終了する。一方、受信入力レベルＺ’が理論値Ｙに一致しない場合、第１のアンテナ１０１および第２のアンテナ４０１が故障していると判断し（ステップＳ１４）、本処理を終了する。
【０１３９】
以上説明したように、第７の実施形態の無線通信装置１７１およびアンテナ故障検出方法では、送信部１０６から出力された受信周波数帯域の高周波信号を第１のアンテナ１０１から送信し、第１のアンテナ１０１と空間結合された第２のアンテナ４０１によって高周波信号を受信して受信部１０７に入力し、その信号レベルを評価することで、第１および第２のアンテナ１０１，４０１の故障検出を行う。したがって、周波数分割複信方式（ＦＤＤ）の無線通信装置１７１に対して、高周波測定器を別途用意することなく、簡単な構成で第１および第２のアンテナ１０１，４０１の故障を検出することができる。
【０１４０】
なお、第２のアンテナ４０１として、筐体の外部に接続されるホイップアンテナやヘリカルアンテナを用いても同様の効果を得ることができる。また、無線通信装置１７１内の送信部１０６および受信部１０７の変復調方式として、ヘテロダイン方式またはダイレクトコンバージョン方式のどちらを用いても同様の効果を得ることができる。
【０１４１】
［第８の実施形態］
図１１は、第８の実施形態の無線通信装置１８１の筐体およびその主要な電子部品の配置を示す説明図である。同図に示すように、第８の実施形態の無線通信装置１８１は、第７の実施形態の無線通信装置１７１と略同一の電気的構成であるため、同一の構成要素には同一の符号を付す。なお、第８の実施形態の無線通信装置１８１は、受話部３０１を有する第１の筐体（ケース）と送話部３０２を有する第２の筐体（ケース）とが開閉自在な折畳式の無線通信装置である。
【０１４２】
第１のアンテナ１０１は受話部３０１付近に配置されている。第２のアンテナ４０１は、無線通信装置１８１を折り畳んだときに第１のアンテナ１０１と近接するように送話部３０２付近に配置されている。経路１１２は、前述したように、第１のアンテナ１０１と第２のアンテナ４０１との空間結合により形成されるものである。一般的に、無線通信装置１８１の筐体が第１のアンテナ１０１と第２のアンテナ４０１の間を隔てると、第１のアンテナ１０１と第２のアンテナ４０１との空間結合が弱まり、経路１１２による損失が大きくなる。
【０１４３】
上記構成の無線通信装置１８１では、折り畳んだ状態、つまり第１のアンテナ１０１と第２のアンテナ４０１との空間結合を強めた状態で、第１のアンテナ１０１および第２のアンテナ４０１の故障検出を行う。なお、第１のアンテナ１０１および第２のアンテナ４０１の故障検出は、第７の実施形態と同様の方法で行うので、その説明は省略する。
【０１４４】
送信部１０６の故障検出では、受信周波数帯域（２１１０ＭＨｚ〜２１７０ＭＨｚ）における第７の高周波信号切替部６０１の通過損失（Ｌ６０１）を１ｄＢ、また高周波信号減衰部６０４の通過損失（Ｌ６０４）を２０ｄＢ、第８の高周波信号切替部６０２の通過損失（Ｌ６０２）を１ｄＢとすると、送信部１０６からＸ＝−２０ｄＢｍの信号を出力した場合、受信部１０７に入力される信号レベルの理論値Ｙは、数式（９）に示すように、Ｙ＝−４２ｄＢｍとなる。
【０１４５】
また、第１および第２のアンテナ１０１，４０１の故障検出では、受信周波数帯域（２１１０ＭＨｚ〜２１７０ＭＨｚ）における第１のアンテナ１０１のアンテナ利得（Ｇ１０１）を−３ｄＢ、受信周波数帯域（２１１０ＭＨｚ〜２１７０ＭＨｚ）における第２のアンテナ４０１の利得（Ｇ４０１）を−３ｄＢ、共用器１０４における送信部１０６および第１のアンテナ１０１間の受信周波数帯域（２１１０ＭＨｚ〜２１７０ＭＨｚ）の損失（Ｉ１０４）を−４０ｄＢ、受信周波数帯域（２１１０ＭＨｚ〜２１７０ＭＨｚ）における第９の高周波信号切替部６０３の損失（Ｌ６０３）を１ｄＢ、受信周波数帯域（２１１０ＭＨｚ〜２１７０ＭＨｚ）における第１０の高周波信号切替部８０１の損失（Ｌ８０１）を１ｄＢ、受信周波数帯域（２１１０ＭＨｚ〜２１７０ＭＨｚ）における第１１の高周波信号切替部８０２の損失（Ｌ８０２）を１ｄＢ、経路１１２の空間結合による損失（Ｌ１１２）を２０ｄＢとすると、送信部１０６からＸ＝０ｄＢｍの信号を出力した場合、受信部１０７に入力される信号レベルの理論値Ｙは、数式（９）に示すように、Ｙ＝−７１ｄＢｍとなる。
【０１４６】
以上説明したように、第８の実施形態では、無線通信装置１８１を折り畳んだとき第１のアンテナ１０１との距離が近くなる位置に第２のアンテナ４０１が配置されているため、この折り畳んだ状態で第１のアンテナ１０１および第２のアンテナ４０１の故障検出を行う際、第１のアンテナ１０１と第２のアンテナ４０１との空間結合の損失を抑えることができる。したがって、アンテナの故障検出を精度良く行える折畳式の無線通信装置を実現することができる。
【０１４７】
なお、第８の実施形態では、受話部３０１付近に第１のアンテナ１０１を配置し、かつ送話部３０２付近に第２のアンテナ４０１を配置したが、逆に受話部３０１付近に第２のアンテナ４０１を配置し、かつ送話部３０２付近に第１のアンテナ１０１を配置しても同様の効果を得ることができる。
【０１４８】
［第９の実施形態］
図１２は、本発明に係る無線通信装置の第９の実施形態の構成を示すブロック図である。第９の実施形態の無線通信装置１９１は、第７の実施形態と略同様の構成の他、特許請求の範囲の報知手段に該当する表示部１００１を備えて構成されている。但し、第７の実施形態と異なり、第８の高周波信号切替部６０２は、受信部１０７と、共用器１０４または第９の高周波信号切替部６０３との間の接続を切り替えるものであり、また、第９の高周波信号切替部６０３は、第８の高周波信号切替部６０２と、高周波減衰部６０４または第１１の高周波信号切替部８０２と間の接続を切り替えるものであるが、送信部１０６の故障検出および第１および第２のアンテナ１０１，４０１の故障検出を行う際は第７の実施形態と同様の動作を行う。
【０１４９】
表示部１００１は、制御部１０９からの制御信号に従って、送信部１０６、第１および第２のアンテナ１０１，４０１の故障検出結果を表示するものである。
【０１５０】
上記構成の無線通信装置１１１では、第７の実施形態と同様に、送信部１０６、第１および第２のアンテナ１０１，４０１の故障検出を行うため、その詳細な説明は省略する。第９の実施形態では、送信部１０６、第１および第２のアンテナ１０１，４０１の故障検出を行った結果、送信部１０６、第１および第２のアンテナ１０１，４０１に異常が検出されなかった場合に、ステップＳ３およびステップＳ１３でそれぞれ異常がなく正常に動作していることを表示部１００１に表示する。
【０１５１】
一方、送信部１０６に異常が検出された場合には、ステップＳ４で送信部１０６に異常が検出されたことを表示部１００１に表示する。同様に、第１および第２のアンテナ１０１，４０１に異常が検出された場合は、ステップＳ１４で第１および第２のアンテナ１０１，４０１に異常が検出されたことを表示部１００１に表示する。
【０１５２】
以上説明したように、第９の実施形態の無線通信装置１９１およびアンテナ故障検出方法では、第１および第２のアンテナ１０１，４０１の故障検出を行った結果を表示部１００１に表示することができる。なお、異常や正常を報知する手段として、表示に限らず、音や振動で報知するようにしても良い。また、第８の実施形態と同様、折畳式の無線通信装置に適用しても良い。
【０１５３】
【発明の効果】
以上説明したように、本発明に係る無線通信装置およびアンテナ故障検出方法によれば、高周波測定器等の試験装置を用いれば、出力部から外部に出力された信号に基づいて第１のアンテナの故障を検出することができる。このため、周波数分割複信方式（ＦＤＤ）においても、電界ボックスを用意することなく、簡単な構成でアンテナの故障を検出することができる。
【図面の簡単な説明】
【図１】本発明に係る無線通信装置の第１の実施形態の構成を示すブロック図
【図２】第１の実施形態の無線通信装置の筐体およびその主要な電子部品の配置を示す説明図
【図３】第１の実施形態の無線通信装置が有する送信部の故障検出処理手順を示すフローチャート
【図４】第１の実施形態のアンテナ故障検出処理手順を示すフローチャート
【図５】第２の実施形態の無線通信装置の筐体およびその主要な電子部品の配置を示す説明図
【図６】本発明に係る無線通信装置の第３の実施形態の構成を示すブロック図
【図７】第４の実施形態の無線通信装置の筐体およびその主要な電子部品の配置を示す説明図
【図８】本発明に係る無線通信装置の第５の実施形態の構成を示すブロック図
【図９】第６の実施形態の無線通信装置の筐体およびその主要な電子部品の配置を示す説明図
【図１０】本発明に係る無線通信装置の第７の実施形態の構成を示すブロック図
【図１１】第８の実施形態の無線通信装置の筐体およびその主要な電子部品の配置を示す説明図
【図１２】本発明に係る無線通信装置の第９の実施形態の構成を示すブロック図
【図１３】従来の無線通信装置の構成を示すブロック図
【図１４】従来の無線通信装置の筐体およびその主要な電子部品の配置を示す説明図
【符号の説明】
１０１　第１のアンテナ
１０２，１０３，４０２，４０３，４０４，４０５，６０１，６０２，６０３，８０１，８０２　高周波信号切替部
１０５　外部コネクタ
１０６　送信部
１０７　受信部
１０７ａ　レベル検出回路
１０９　制御部
１１０　結合素子
１１１　無線通信装置
４０１　第２のアンテナ
１００１　表示部
【図１】
2004146865.tif 000003
【図２】
2004146865.tif 000004
【図３】
2004146865.tif 000005
【図４】
2004146865.tif 000006
【図５】
2004146865.tif 000007
【図６】
2004146865.tif 000008
【図７】
2004146865.tif 000009
【図８】
2004146865.tif 000010
【図９】
2004146865.tif 000011
【図１０】
2004146865.tif 000012
【図１１】
2004146865.tif 000013
【図１２】
2004146865.tif 000014
【図１３】
2004146865.tif 000015
【図１４】
2004146865.tif 000016